(57)【特許請求の範囲】
【請求項１】
外部装置に対し、第１、第２及び第３の伝送チャネルを介して映像を送信する通信装置であって、
予め設定された所定の解像度のソース映像を前記外部装置に送信するにあたって、当該ソース映像をＹＣｒＣｂ（４：２：０）フォーマットの送信対象映像に変換する変換手段と、
前記送信対象映像においてｍ行目ｎ列に対応する第１画素、ｍ行目ｎ＋１列に対応する第２画素、ｍ＋１行目ｎ列に対応する第３画素、ｍ＋１行目ｎ＋１列に対応する第４画素について、
前記第１の伝送チャネルを介して、前記第１乃至第４画素の色差に関する第１色差情報と第２色差情報とを時間的に連続させて送信し、
前記第２の伝送チャネルを介して、前記第１画素の輝度に関する第１輝度情報と前記第２画素の輝度に関する第２輝度情報とを時間的に連続させて送信し、
前記第３の伝送チャネルを介して、前記第３画素の輝度に関する第３輝度情報と前記第４画素の輝度に関する第４輝度情報とを時間的に連続させて送信し、かつ、
前記第１色差情報、前記第１輝度情報、及び前記第３輝度情報を、第１クロックに対応するタイミングで送信し、前記第２色差情報、前記第２輝度情報、及び前記第４輝度情報を、前記第１クロックの次の第２クロックに対応するタイミングで送信する送信手段と、
を備える通信装置。
【請求項２】
外部装置に対し、第１、第２及び第３の伝送チャネルを介して映像を送信する通信装置であって、
予め設定された所定の解像度のソース映像を前記外部装置に送信するにあたって、当該ソース映像をＹＣｒＣｂ（４：２：０）フォーマットの送信対象映像に変換する変換手段と、
前記送信対象映像においてｍ行目ｎ列に対応する第１画素、ｍ行目ｎ＋１列に対応する第２画素、ｍ＋１行目ｎ列に対応する第３画素、ｍ＋１行目ｎ＋１列に対応する第４画素について、
前記第１の伝送チャネルを介して、前記第１画素の色差に関する第１色差情報と前記第３画素の色差に関する第２色差情報とを時間的に連続させて送信し、
前記第２の伝送チャネルを介して、前記第１画素の輝度に関する第１輝度情報と前記第２画素の輝度に関する第２輝度情報とを時間的に連続させて送信し、
前記第３の伝送チャネルを介して、前記第３画素の輝度に関する第３輝度情報と前記第４画素の輝度に関する第４輝度情報とを時間的に連続させて送信し、かつ、
前記第１色差情報、前記第１輝度情報、及び前記第３輝度情報を、第１クロックに対応するタイミングで送信し、前記第２色差情報、前記第２輝度情報、及び前記第４輝度情報を、前記第１クロックの次の第２クロックに対応するタイミングで送信する送信手段と、
を備える通信装置。
【請求項３】
前記外部装置から、当該外部装置が所定方式に対応しているか否かを示す対応情報を取得する取得手段を更に備え、
前記変換手段は、前記外部装置が前記所定方式に対応していることを前記対応情報が示す場合に前記ソース映像を前記送信対象映像に変換する、請求項１又は２記載の通信装置。
【請求項４】
前記送信手段は、前記ソース映像が右目用画像及び左目用画像を含む映像である場合、前記右目用画像と前記左目用画像の夫々を、伝送信号中の所定の位置に配置し、
前記所定の位置は、垂直同期信号に基づいて決定される、請求項１又は２記載の通信装置。
【請求項５】
外部装置に対し、第１、第２及び第３の伝送チャネルを介して映像を送信する通信方法であって、
予め設定された所定の解像度のソース映像を前記外部装置に送信するにあたって、当該ソース映像をＹＣｒＣｂ（４：２：０）フォーマットの送信対象映像に変換する変換ステップと、
前記送信対象映像においてｍ行目ｎ列に対応する第１画素、ｍ行目ｎ＋１列に対応する第２画素、ｍ＋１行目ｎ列に対応する第３画素、ｍ＋１行目ｎ＋１列に対応する第４画素について、
前記第１の伝送チャネルを介して、前記第１乃至第４画素の色差に関する第１色差情報と第２色差情報とを時間的に連続させて送信し、
前記第２の伝送チャネルを介して、前記第１画素の輝度に関する第１輝度情報と前記第２画素の輝度に関する第２輝度情報とを時間的に連続させて送信し、
前記第３の伝送チャネルを介して、前記第３画素の輝度に関する第３輝度情報と前記第４画素の輝度に関する第４輝度情報とを時間的に連続させて送信し、かつ、
前記第１色差情報、前記第１輝度情報、及び前記第３輝度情報を、第１クロックに対応するタイミングで送信し、前記第２色差情報、前記第２輝度情報、及び前記第４輝度情報を、前記第１クロックの次の第２クロックに対応するタイミングで送信する送信ステップと、
を備える通信方法。
【請求項６】
外部装置に対し、第１、第２及び第３の伝送チャネルを介して映像を送信する通信方法であって、
予め設定された所定の解像度のソース映像を前記外部装置に送信するにあたって、当該ソース映像をＹＣｒＣｂ（４：２：０）フォーマットの送信対象映像に変換する変換ステップと、
前記送信対象映像においてｍ行目ｎ列に対応する第１画素、ｍ行目ｎ＋１列に対応する第２画素、ｍ＋１行目ｎ列に対応する第３画素、ｍ＋１行目ｎ＋１列に対応する第４画素について、
前記第１の伝送チャネルを介して、前記第１画素の色差に関する第１色差情報と前記第３画素の色差に関する第２色差情報とを時間的に連続させて送信し、
前記第２の伝送チャネルを介して、前記第１画素の輝度に関する第１輝度情報と前記第２画素の輝度に関する第２輝度情報とを時間的に連続させて送信し、
前記第３の伝送チャネルを介して、前記第３画素の輝度に関する第３輝度情報と前記第４画素の輝度に関する第４輝度情報とを時間的に連続させて送信し、かつ、
前記第１色差情報、前記第１輝度情報、及び前記第３輝度情報を、第１クロックに対応するタイミングで送信し、前記第２色差情報、前記第２輝度情報、及び前記第４輝度情報を、前記第１クロックの次の第２クロックに対応するタイミングで送信する送信ステップと、
を備える通信方法。
【請求項７】
前記外部装置から、当該外部装置が所定方式に対応しているか否かを示す対応情報を取得することと、
前記外部装置が前記所定方式に対応していることを前記対応情報が示す場合に、前記ソース映像を前記送信対象映像に変換することを更に備える、請求項５又は６記載の通信方法。
【請求項８】
前記ソース映像が右目用画像及び左目用画像を含む映像である場合、前記右目用画像と前記左目用画像の夫々を、伝送信号中の所定の位置に配置し、
前記所定の位置は、垂直同期信号に基づいて決定される、請求項５又は６記載の通信方法。
【発明の詳細な説明】
【技術分野】
【０００１】
本発明の実施形態は、通信装置及び通信方法に関する。
【背景技術】
【０００２】
ＤＶＤプレーヤ、セットトップボックス等の映像送信装置とＴＶ受像機・モニタ等の映
像受信装置との間のマルチメディアインターフェースの一例としてＨＤＭＩ(High Defini
tion Multimedia Interface)規格がある。ＨＤＭＩ出力端子を有する機器をソース機器と
称し、ＨＤＭＩ入力端子を有する機器をシンク機器と称する。映像送信装置はソース機器
であり、映像受信装置はシンク機器である。また、ＨＤＭＩ入力端子とＨＤＭＩ出力端子
とを有し、ソース機器とシンク機器の両者の機能を有する機器をリピータ機器と称する。
【０００３】
上記したＨＤＭＩ規格に準じた通信を行うＨＤＭＩ通信装置では、映像、音声、補助情
報を伝送するＴＭＤＳ（Transition Minimized Differential Signaling）伝送部と、ソ
ース機器をシンク機器あるいはリピータ機器に接続した場合、ソースレディ信号として接
続したことをシンク機器あるいはリピータ機器に知らせるための＋５Ｖ電源信号伝送部と
、シンク機器あるいはリピータ機器において映像情報の受信準備が整ったことを示すシン
クレディ信号としてのＨＰＤ(Hot Plug Detect)信号を伝送するＨＰＤ信号伝送部と、接
続されたシンク機器の製品情報や適合する映像フォーマット等のデータであるＥＤＩＤ（
Extended Display Identification Data）を伝送するＥＤＩＤ伝送部と、シンク機器の認
証を行うＨＤＣＰ（High-bandwidth Digital Content Protection）認証部と、装置制御
信号と制御プロトコルであるＣＥＣ（Consumer Electronics Control）を伝送するＣＥＣ
伝送部とを有している。
【先行技術文献】
【特許文献】
【０００４】
【特許文献１】特開２００８−２５２８１９号公報
【発明の概要】
【発明が解決しようとする課題】
【０００５】
ところで、近年４Ｋ２Ｋと呼ばれる３８４０×２１６０の高解像度映像に対する要求が
高まっている。しかしながら高解像度映像の伝送においては伝送量が大きくなり、通信イ
ンタフェースへの不可が大きくなる恐れがある。
【０００６】
そこで本発明の実施形態は、通信インタフェースへの負荷を抑制できる通信装置及び通
信方法の提供を目的とする。
【課題を解決するための手段】
【０００７】
上記の課題を解決するために、本実施形態の通信装置は、外部装置に対し、第１、第２及び第３の伝送チャネルを介して映像を送信する通信装置であって、予め設定された所定の解像度のソース映像を前記外部装置に送信するにあたって、当該ソース映像をＹＣｒＣｂ（４：２：０）フォーマットの送信対象映像に変換する変換手段と、前記送信対象映像においてｍ行目ｎ列に対応する第１画素、ｍ行目ｎ＋１列に対応する第２画素、ｍ＋１行目ｎ列に対応する第３画素、ｍ＋１行目ｎ＋１列に対応する第４画素について、前記第１の伝送チャネルを介して、前記第１乃至第４画素の色差に関する第１色差情報と第２色差情報とを時間的に連続させて送信し、前記第２の伝送チャネルを介して、前記第１画素の輝度に関する第１輝度情報と前記第２画素の輝度に関する第２輝度情報とを時間的に連続させて送信し、前記第３の伝送チャネルを介して、前記第３画素の輝度に関する第３輝度情報と前記第４画素の輝度に関する第４輝度情報とを時間的に連続させて送信し、かつ、
前記第１色差情報、前記第１輝度情報、及び前記第３輝度情報を、第１クロックに対応するタイミングで送信し、前記第２色差情報、前記第２輝度情報、及び前記第４輝度情報を、前記第１クロックの次の第２クロックに対応するタイミングで送信する送信手段と、を備える。
【図面の簡単な説明】
【０００８】
【図１】実施形態の通信装置の利用形態例を示す図。
【図２】実施形態の通信装置のシステム構成例を示す図。
【図３】実施形態の通信装置のシステム構成例を示す図。
【図４】実施形態の通信装置が伝送する映像のピクセルエンコードフォーマット例を説明するための図。
【図５】実施形態の通信装置が利用するビデオタイミングフォーマット例を示す図。
【図６】実施形態の通信装置が記憶するデータの構造例を示す図。
【図７】実施形態の通信装置が送信するデータの構造例を示す図。
【図８】実施形態の通信装置による映像送信に係る処理フローを示す図。
【図９】実施形態の通信装置による映像受信に係る処理フローを示す図。
【発明を実施するための形態】
【０００９】
以下、図面を参照して実施形態を説明する。
【００１０】
図１は、第１の実施の形態に係るデータ伝送システムの一例を示す全体図である。
【００１１】
このデータ伝送システムでは、本実施の形態においてソース機器となる再生装置１００
と、シンク機器となる表示装置２００とがＨＤＭＩケーブル３００により接続されている
。
【００１２】
再生装置１００は、読み込み部１０１や記憶部１０２（図１には不図示）を備え、光学
ディスクや記憶部１０２に記憶された符号化映像データを再生（デコード）する機能を有
する。そして再生装置１００は、デコードした映像データをＨＤＭＩケーブル３００を介
して表示装置１００に出力する。表示装置２００は、表示部２０３を備え、受信した映像
データを用いて映像を表示する。
【００１３】
図２は再生装置１００及び表示装置２００のシステム構成例を示す。
【００１４】
再生装置１００は読み込み部１０１、記憶部１０２、デコード部１０３、ＨＤＭＩ送信
部１０４等を備える。読み込み部１０１は光学ディスクに記憶された符号化映像データを
読み込んでデコード部１０３に出力する。また記憶部１０２は、例えば録画された符号化
映像データを記憶し、記憶した符号化映像データをデコード部１０３に出力する。そして
デコード部１０３は、入力された符号化映像データを例えばＲＧＢ各８ビットの映像デー
タにデコードする。ＨＤＭＩ送信部１０４はデコードされた映像データを所定の伝送フォ
ーマットの映像信号に変換し、ＨＤＭＩケーブル３００を介して表示装置２００に出力す
る。
【００１５】
表示装置２００は、ＨＤＭＩ受信部２０１、表示処理部２０２、表示部２０３、チュー
ナ２０４、信号処理部２０５等を備える。ＨＤＭＩ受信部２０１は、映像信号を受信し、
受信した映像信号を、表示処理部２０２が処理可能な形式（例えばＲＧＢ各８ビットのベ
ースバンドのデータ）の映像データに変換する。そして表示処理部２０２は、ＨＤＭＩ受
信部２０１及び信号処理部２０５から入力された映像データを、表示部２０３が表示可能
な形式の映像信号に変換し、当該映像信号を表示部２０３に出力する。表示部２０３は入
力された映像信号を用いて映像を表示する。
【００１６】
チューナ２０４は、テレビ放送の放送信号を受信する。そして信号処理部２０５は、受
信された放送信号を処理して映像データに変換し、表示処理部２０２に出力する。
【００１７】
図３は再生装置１００のＨＤＭＩ送信部１０４と、表示装置２００のＨＤＭＩ受信部２
０１のシステム構成を示す図である。
【００１８】
ＨＤＭＩ送信部１０４は、ＴＭＤＳエンコーダ１５１、マイクロコンピュータ（マイコ
ン）１５２、通信部１５３等を備える。また、ＨＤＭＩ受信部２０１は、ＴＭＤＳデコー
ダ２５１、マイクロコンピュータ（マイコン）２５２、ＥＤＩＤ２５３等を備える。
【００１９】
ＴＭＤＳエンコーダ１５１には、ＲＧＢ各８ビットの映像データが入力される。そして
ＴＭＤＳエンコーダ１５１は、入力された映像データを図５及び図６に後述する形式の映
像データに変換し、当該変換により生成したピクセルクロックをＣＨ０−ＣＨ２の夫々に
出力する。そして不図示の差動アンプが、ＴＭＤＳエンコーダ１５１から出力されたピク
セルクロックを差動信号に変換し、ＣＨ０−ＣＨ２の伝送ラインに出力する。なお差動ア
ンプはＣＨ０−ＣＨ２の伝送ラインの夫々に対応するように設けられる。そして当該差動
信号は、ＣＨ０−ＣＨ２の伝送ラインを介してＨＤＭＩ受信部２０１に伝送される。
【００２０】
ＨＤＭＩ受信部２０１には、ＣＨ０−ＣＨ２の夫々に対して差動アンプ（不図示）が設
けられている。そして当該差動アンプは、ＣＨ０−ＣＨ２からの差動信号を受信すると、
当該差動信号をデータに変換してＴＭＤＳデコーダ２５１に出力する。そしてＴＭＤＳで
コーダ２５１は、これらデータをＲＧＢ各８ビットの映像データに復号して、表示処理部
２０２に出力する。
【００２１】
ソース機器のマイコン１５２は、ＣＥＣ線及びＨＰＤ線によりシンク機器のマイコン２
５２と接続される。そしてマイコン１５２及びマイコン２５２は、機器間の相互制御を行
うための情報をＣＥＣ線を介して伝送する。またマイコン１５２は、ＨＰＤ線を介して、
シンク機器の電源投入完了に応じた信号伝送準備完了をソース機器に通知する。
【００２２】
マイコン１５２の通信部１５３は、ＤＤＣ線を介してシンク機器のＥＤＩＤ２５３と接
続される。そして通信部１５３は、ＥＤＩＤ２５３からＥＤＩＤデータを読み出す。
【００２３】
次に図４（Ａ）を参照して、（ＹＣｒＣｂ）４：２：０のフォーマットについて説明す
る。
【００２４】
例えば、４Ｋ２Ｋの映像を伝送する場合には、当該映像の伝送量を抑制して、通信イン
タフェースへの不可を抑えられることが好ましい。一方、再生装置１００においてデコー
ドされたソース映像はＲＧＢ４：４：４であり、当該映像の伝送には大きな伝送量を要す
る。そこで、映像のサンプルフォーマットを（ＹＣｒＣｂ）４：２：０として、データ量
を半分にすることを考える。
【００２５】
図４（Ａ）は、４Ｋ２Ｋ映像のＲ，Ｇ，Ｂ信号を（ＹＣｒＣｂ）４：２：０に変換した
場合の映像形式を示す。この（ＹＣｒＣｂ）４：２：０フォーマットは、図２での読み込
み部１０１で圧縮フォーマットをデコード部１０３にてデコードした直後の、かつR,G,B
に変換する直前のフォーマットである。ここで、輝度情報Ｙ００は、画素Ｐ１の輝度情報
を示す。第１色差情報Ｃｂ００は、画素Ｐ１、当該画素Ｐ１に隣接する画素Ｐ２、画素Ｐ
１及びＰ２に対して下方向で隣接する画素Ｐ５及びＰ６の４画素についての色差Ｃｂを示
す。なお第１色差情報Ｃｂ００は、画素Ｐ１のみについての色差Ｃｂを示すものであって
も良い。第２色差情報Ｃｒ１０は、画素Ｐ５、当該画素Ｐ５に隣接する画素Ｐ６、画素Ｐ
５及びＰ６に対して上方向で隣接する画素Ｐ１及びＰ２の４画素についての色差Ｃｒを示
す。なお第２色差情報Ｃｒ１０は、画素Ｐ５のみについての色差Ｃｒを示すものであって
も良い。そして輝度情報Ｙ０１は画素Ｐ２の、輝度情報Ｙ１０は画素Ｐ４の、輝度情報Ｙ
１１は画素Ｐ５の輝度を示す。
【００２６】
同様に、輝度情報Ｙ０２は、画素Ｐ３の輝度を示す。第１色差情報Ｃｂ０２は、画素Ｐ
３、当該画素Ｐ３に隣接する画素Ｐ４、画素Ｐ３及びＰ４に対して下方向で隣接する画素
Ｐ７及びＰ８の４画素についての色差Ｃｂを示す。なお第１色差情報Ｃｂ０２は、画素Ｐ
３のみについての色差Ｃｂを示すものであっても良い。第２色差情報Ｃｒ１２は、画素Ｐ
７、当該画素Ｐ７に隣接する画素Ｐ８、画素Ｐ７及びＰ８に対して上方向で隣接する画素
Ｐ３及びＰ４の４画素についての色差Ｃｒを示す。なお第２色差情報Ｃｒ１２は、画素Ｐ
７のみについての色差Ｃｒを示すものであっても良い。そして輝度情報Ｙ０３は画素Ｐ４
の、輝度情報Ｙ１２は画素Ｐ６の、輝度情報Ｙ１３は画素Ｐ７の輝度を示す。
【００２７】
このとき、例えば図４（Ｂ）に示すように、図４（Ａ）のフォーマットのデータを１ラ
インずつ伝送するようにピクセルエンコードし、６０フレーム／秒で表示装置に表示させ
ようとすると、４４００ピクセル（＝画像横方向３８４０ピクセル＋ＨＢ（Ｈｏｒｉｚｏ
ｎｔａｌ  Ｂｌａｎｋ）５６０ピクセル）×２２５０ライン（＝縦２１６０ライン＋ＶＢ
（Ｖｅｒｔｉｃａｌ  Ｂｌａｎｋ）９０ライン）×６０Ｈｚ＝５９４メガピクセル／秒と
なる（図５（Ａ）参照）。即ちこの場合のピクセルクロックは５９４ＭＨｚとなる。しか
しながら従来のＨＤＭＩでは最大伝送速度３４０ＭＨｚとなっており、図４（Ｂ）のピク
セルエンコードでは映像を伝送できない。
【００２８】
そこで、図４（Ｃ）に示すように、図４（Ａ）のフォーマットのデータのうち輝度成分
Ｙを２ラインずつ伝送し、色差成分ＣｂＣｒを１チャンネルに纏めて伝送するようにＴＭ
ＤＳエンコーダ１５１がピクセルエンコードすれば、２１６０ラインのソース映像のデー
タを１０８０ラインで伝送することができる。即ち図４（Ｃ）の方式では、６０Ｈｚ表示
用の映像を伝送する場合のピクセルクロックを図４（Ｂ）の半分の２９７ＭＨｚにするこ
とができる。
【００２９】
図５は、ＹＣｒＣｂ４：２：０でサンプルした４Ｋ２Ｋ映像のビデオタイミングフォー
マット例である。ここで図５（Ａ）のフォーマットは、例えば図４（Ｂ）のピクセルエン
コード方式を用いた場合のタイミングフォーマット例である。この場合には、図４（Ａ）
でも述べたように、各フレームの表示レートを６０Ｈｚにしようとするとピクセルクロッ
クが５９４ＭＨｚ（４４００ピクセル×２２５０ライン×６０Ｈｚ）となる。
【００３０】
図５（Ｂ）及び（Ｃ）は、図４（Ｃ）のピクセルエンコード方式を用いた場合のタイミ
ングフォーマット例である。図５（Ｂ）の例では、ＶＢとして９０ラインを伝送し、続く
１０８０ラインで１フレームを伝送する。そして１フレームの伝送に続けて次のフレーム
が１０８０ラインで伝送される。なおこの方式においては、２２５０ライン単位の伝送を
３０Ｈｚで行う。このためこの方式でのピクセルクロックは２９７ＭＨｚ（４４００ピク
セル×２２５０ライン×３０Ｈｚ）となる。
【００３１】
図５（Ｃ）の例では、ＶＢとして４５ラインを伝送し、続く１０８０ラインで１フレー
ムを伝送する。そして１０８０＋４５の１１２５ライン単位の伝送を６０Ｈｚで実行する
。このためこの方式でのピクセルクロックは２９７ＭＨｚ（４４００ピクセル×１１２５
ライン×６０Ｈｚ）となる。
【００３２】
また、図５（Ｂ）及び（Ｃ）のタイミングフォーマットを用いて立体表示用の映像が伝
送されても良い。言い換えると、再生装置１００は、例えば右目用画像と左目用画像とを
、フレーム周波数と画素伝送クロック周波数が図５（Ａ）フォーマットの１／２になって
いる図５（Ｂ）及び図５（Ｃ）のフォーマットに含めて送信しても良い。この場合に再生
装置１００は、例えば図５（Ｂ）や（Ｃ）のＦｒａｍｅ１の位置に右目用画像を、Ｆｒａ
ｍｅ２の位置に左目用画像を配置して受信装置２００に送信しても良い。
【００３３】
つまり、再生装置１００は、ＹＣｒＣｂ４：２：０ＭＰＥＧフォーマットの右目用画像及び左目用画像のうち、一方を図５（Ｂ）のＶＢの終端から数えて０−１０８０ラインの位置に割り当て、他方をＶＢの終端から数えて１０８０−２１６０ラインの位置に割り当てても良い。
【００３４】
図６は表示装置２００がＥＤＩＤ２５３に記憶するＥＤＩＤデータのデータ構成例であ
る。ＥＤＩＤデータのＰ１０には、表示装置２００が利用可能な例えば、ビデオタイミン
グフォーマットとして図５（Ｂ）又は図５（Ｃ）等、幾つかの４：２：０フォーマットの
情報ＶＩＣ１〜ＶＩＣ６が格納される。なお図６においてＰ１０には「ＹＣｂＣｒ（４：
２：０）  ｉｎｄｉｃａｔｏｒ」が格納されているが、当該ｉｎｄｉｃａｔｏｒは利用可
能な映像のフォーマットを示すものである。つまり、当該ｉｎｄｉｃａｔｏｒは、例えば
伝送フォーマットとしてＹＣｒＣｂ（４：２：０）を利用可能であること、ピクセルエン
コード方式として図４（Ｃ）方式が利用可能であること等を示している。
【００３５】
図７は、再生装置１００が映像信号に含めて表示装置２００に送信するＩｎｆｏＦｒａ
ｍｅのデータ構造例を示している。なお当該ＩｎｆｏＦｒａｍｅは、例えば図５における
ブランク領域に重畳されるものである。当該ＩｎｆｏＦｒａｍｅのＰ２０には、伝送する
映像の形式を示す情報が含まれる。なお図７において、Ｐ２０には「ＹＣｂＣｒ（４：２
：０）  ｉｎｄｉｃａｔｏｒ」が格納されているが、当該ｉｎｄｉｃａｔｏｒは送信する
映像のフォーマットを示すものである。つまり、当該ｉｎｄｉｃａｔｏｒは、例えば伝送
フォーマットとしてＹＣｒＣｂ（４：２：０）を用いていること、ピクセルエンコード方
式として図４（Ｃ）方式を用いていること等を示している。そしてＰ２１のＶＩＣは図６
で示されたＶＩＣ１〜６のビデオタイミングフォーマットの内の１つを示している。
【００３６】
次に図８を参照して、再生装置１００による映像送信に係る処理例を説明する。再生装
置１００は、所定の解像度（例えば４Ｋ２Ｋ）の映像を表示装置２００に送信することに
応じて、通信部１５３を用いて表示装置２００のＥＤＩＤ２５３を読み込む（Ｓ８０１）
。そしてマイコン１５２は、読み込んだＥＤＩＤに含まれるｉｎｄｉｃａｔｏｒ（図４の
Ｐ１０）を解析し、再生装置１００が伝送する映像の解像度や映像伝送に利用する映像フ
ォーマットに表示装置２００が対応しているか否かを判別する（Ｓ８０２）。そして、表
示装置２００が対応している場合（Ｐ８０２のＹｅｓ）、マイコン１５２は、映像のフォ
ーマットや解像度を示すＩｎｆｏＦｒａｍｅを含む映像信号を表示装置２００に出力させ
る（Ｓ８０３）。なお再生装置１００は、伝送する映像に対して表示装置２００が対応し
ていない場合（Ｓ８０２のＮｏ）、映像伝送を行わない。
【００３７】
図９は表示装置２００による映像受信に係る処理例を示す図である。まずマイコン２５
２は、送信される映像信号に含まれるＩｎｆｏＦｒａｍｅを受信する（Ｓ９０１）。そし
て当該ＩｎｆｏＦｒａｍｅが示す伝送方式が図４（Ｃ）の方式である場合（Ｓ９０２）、
ＴＭＤＳデコーダ２５１は、１０８０ラインに２１６０ライン分の映像が重畳された図４
（Ｃ）のフォーマットの映像信号を受信する（Ｓ９０３）。そしてＴＭＤＳデコーダ２５
１は、入力された１ラインの映像につき２ラインの映像を表示処理部２０２に出力する。
一方表示装置２００は、Ｓ９０２においてＩｎｆｏＦｒａｍｅが示す伝送方式が従来のも
のであると、（Ｓ９０２のＮｏ）、入力された映像信号を従来の方式で変換し、表示処理
部２０２に出力する（Ｓ９０５）。
【００３８】
なお本実施形態においては、４Ｋ２Ｋの映像を送信する場合を例に挙げたが、従来のＨ
Ｄ画質（１９２０×１０８０）の映像を送信する場合にも、本実施形態のようにＹＣｒＣ
ｂ４：２：０でサンプルして映像伝送してもよい。
【００３９】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００４０】
１００…再生装置、１０１…読み込み部、１０２…記憶部、１０３…デコード部、１０４
…ＨＤＭＩ送信部、１５１…ＴＭＤＳエンコーダ、１５２…マイコン、１５３…通信部、
２００…表示装置、２０１…ＨＤＭＩ受信部、２０２…表示処理部、２０３…表示部、２
０４…チューナ、２０５…信号処理部、２５１…ＴＭＤＳデコーダ、２５２…マイコン、
２５３…ＥＤＩＤ、３００…ＨＤＭＩケーブル
【図１】
0005232319.tif 000002
【図２】
0005232319.tif 000003
【図３】
0005232319.tif 000004
【図４】
0005232319.tif 000005
【図５】
0005232319.tif 000006
【図６】
0005232319.tif 000007
【図７】
0005232319.tif 000008
【図８】
0005232319.tif 000009
【図９】
0005232319.tif 000010